(57)【要約】【課題】持ち歩く際に邪魔になりにくく、コンパクトに収納することが可能な変換ケーブル、アンテナ装置、および受信装置を提供する。【解決手段】信号伝送ケーブル２０と、信号伝送ケーブル２０の一端側に接続された丸型ジャック部３０と、信号伝送ケーブル２０の他端側に接続された平型プラグ４１と、を有し、丸型ジャック部は、平型プラグを着脱自在に嵌め込み可能なプラグ収容部が形成されている。【選択図】図１
2011139406.tif 000002
【特許請求の範囲】
【請求項１】
信号伝送ケーブルと、
上記信号伝送ケーブルの一端側に接続されたジャック部と、
上記信号伝送ケーブルの他端側に接続されたプラグと、を有し、
上記ジャック部は、
上記プラグを着脱自在に嵌め込み可能なプラグ収容部が形成されている
変換ケーブル。
【請求項２】
上記プラグは、
上記プラグ収容部に収容空間を形成する内壁による押圧力に抗する弾性力を有するロック用ばね端子を含む
請求項１記載の変換ケーブル。
【請求項３】
上記プラグ収容部は、
一側面に、収容空間を形成する内壁による押圧力に抗する弾性力を有する上記ロック用ばね端子による被係止部を係止するための係止部が形成されている
請求項２記載の変換ケーブル。
【請求項４】
上記プラグ収容部は、
ストラップを着脱自在に取り付け可能なストラップ着脱部を有する
請求項１から３のいずれか一に記載の変換ケーブル。
【請求項５】
上記ジャック部は、
イヤホンケーブルのプラグが接続可能なジャックを有する
請求項１から４のいずれか一に記載の変換ケーブル。
【請求項６】
シールド部付同軸ケーブルにより形成される信号伝送ケーブルと、
上記信号伝送ケーブルの一端側に接続されたジャック部と、
上記信号伝送ケーブルの他端側に接続されたプラグと、を有し、
上記ジャック部は、
上記プラグを着脱自在に嵌め込み可能なプラグ収容部が形成され、
上記シールド部付同軸ケーブルは、
複数の芯線とシールド部が同心状に形成された同軸ケーブルにより形成され、
上記芯線が上記プラグの信号端子に接続され、上記シールド部が上記プラグの基準端子に接続されている
アンテナ装置。
【請求項７】
プラグを有するアンテナ装置と、
上記アンテナ装置のプラグが着脱可能なジャックを含み、放送波の受信機能を有する電子機器と、を有し、
上記アンテナ装置は、
シールド部付同軸ケーブルにより形成される信号伝送ケーブルと、
上記信号伝送ケーブルの一端側に接続されたジャック部と、
上記信号伝送ケーブルの他端側に接続されたプラグと、を有し、
上記ジャック部は、
上記プラグを着脱自在に嵌め込み可能なプラグ収容部が形成され、
上記シールド部付同軸ケーブルは、
複数の芯線とシールド部が同心状に形成された同軸ケーブルにより形成され、
上記芯線が上記プラグの信号端子に接続され、上記シールド部が上記プラグの基準端子に接続されている
受信装置。
【発明の詳細な説明】
【技術分野】
【０００１】
本発明は、携帯型のＡＶ機器、携帯電話機等の携帯型電子機器に適用可能な変換ケーブル、アンテナ装置、および受信装置に関するものである。
【背景技術】
【０００２】
近年、携帯電話機に代表される通信端末等の電子機器には、ＦＭラジオやデジタルラジオ、またはテレビジョンの放送波を受信する機能を有するものが増えてきている。
この電子機器の音声は、同軸ケーブルを用いたイヤホンケーブルを通してイヤホン（ヘッドホンを含む）で聴取することも行われている。
【０００３】
また、テレビジョン受像機を搭載した携帯電話機等の電子機器では、その音声をイヤホンで聴取すると共に、イヤホン用のケーブルをシールドケーブルで形成して受信アンテナとして機能させ、高周波信号の伝送にも利用することが行われている。
いわゆるイヤホンアンテナについては、たとえば特許文献１に開示されている。
【先行技術文献】
【特許文献】
【０００４】
【特許文献１】特許第４１２３２６２号
【発明の概要】
【発明が解決しようとする課題】
【０００５】
ところで、携帯電話機に接続されるイヤホンケーブルは使用しない場合、持ち歩く際に邪魔になりやすい。
鞄などに収納して持ち歩いたりする場合が多いが、いざ使用しようとした場合、取り出しが不便で、コンパクトに収納することが難しいという不利益がある。
【０００６】
また、イヤホンアンテナの場合、音声を伝送するイヤホンケーブルとして使用でき、さらに携帯電話向けのデジタルテレビ視聴用のアンテナとして機能することから、テレビジョン方法を視聴する際のアンテナの場合、常に持ち歩く必要がある。
しかし、現状では、上述したように、持ち歩く際に邪魔になりやすく、コンパクトに収納することが難しいという不利益がある。
【０００７】
本発明は、持ち歩く際に邪魔になりにくく、コンパクトに収納することが可能な変換ケーブル、アンテナ装置、および受信装置を提供することにある。
【課題を解決するための手段】
【０００８】
本発明の第１の観点の変換ケーブルは、信号伝送ケーブルと、上記信号伝送ケーブルの一端側に接続されたジャック部と、上記信号伝送ケーブルの他端側に接続されたプラグと、を有し、上記ジャック部は、上記プラグを着脱自在に嵌め込み可能なプラグ収容部が形成されている。
【０００９】
本発明の第２の観点のアンテナ装置は、シールド部付同軸ケーブルにより形成される信号伝送ケーブルと、上記信号伝送ケーブルの一端側に接続されたジャック部と、上記信号伝送ケーブルの他端側に接続されたプラグと、を有し、上記ジャック部は、上記プラグを着脱自在に嵌め込み可能なプラグ収容部が形成され、上記シールド部付同軸ケーブルは、複数の芯線とシールド部が同心状に形成された同軸ケーブルにより形成され、上記芯線が上記プラグの信号端子に接続され、上記シールド部が上記プラグの基準端子に接続されている。
【００１０】
本発明の第３の観点の受信装置は、プラグを有するアンテナ装置と、上記アンテナ装置のプラグが着脱可能なジャックを含み、放送波の受信機能を有する電子機器と、を有し、上記アンテナ装置は、シールド部付同軸ケーブルにより形成される信号伝送ケーブルと、上記信号伝送ケーブルの一端側に接続されたジャック部と、上記信号伝送ケーブルの他端側に接続されたプラグと、を有し、上記ジャック部は、上記プラグを着脱自在に嵌め込み可能なプラグ収容部が形成され、上記シールド部付同軸ケーブルは、複数の芯線とシールド部が同心状に形成された同軸ケーブルにより形成され、上記芯線が上記プラグの信号端子に接続され、上記シールド部が上記プラグの基準端子に接続されている。
【発明の効果】
【００１１】
本発明によれば、持ち歩く際に邪魔になりにくく、コンパクトに収納することができる。
【図面の簡単な説明】
【００１２】
【図１】本発明の第１の実施形態に係る変換ケーブルを採用したアンテナ装置の構成例を示す図である。
【図２】シールド部付同軸ケーブルの構造例を示す図である。
【図３】シールド部付同軸ケーブルの等価回路を示す図である。
【図４】本実施形態に係る丸型ジャック部の具体的な構成例を示す第１図である。
【図５】本実施形態に係る丸型ジャック部の具体的な構成例を示す第２図である。
【図６】本実施形態に係る平型プラグ部の構成例を模式的に示す図である。
【図７】平型プラグを丸型ジャック部のプラグ収容部に収容する様子を模式的に示す図である。
【図８】本実施形態に係るストラップの外観を示す図である。
【図９】本実施形態に係るストラップを丸型ジャック部のストラップ取り付け部に取り付け状態を示す図である。
【図１０】本実施形態に係るストラップの形状を示す図である。
【図１１】ストラップ着脱部の構成例を説明するための図である。
【図１２】ストラップ着脱部へのストラップの取り付け方法を説明するための図である。
【図１３】本発明の第２の実施形態に係る変換ケーブルを含むアンテナ装置を適用した電子機器の一例である携帯電話機を含む受信システム（受信装置）を示す図である。
【図１４】丸型ジャック部にプラグ収容部をもたない場合に、ケーブルを縛る、巻きつける、あるいはＰＥ帯などで縛る等の対応を説明するための図である。
【図１５】本実施形態のように丸型ジャック部にプラグ収容部を設けた場合に、ケーブルを折り曲げてプラグ収容部に平型プラグを簡単に収容し、保持できることを説明するための図である。
【図１６】丸型ジャック部にストラップ着脱部を設けたことにより容易に持ち運ぶことができることを説明するための図である。
【図１７】本第２の実施形態に係る受信システムの周波数に対するピークゲイン特性を示す図である。
【図１８】本発明の第２の実施形態に係る変換ケーブルを採用したアンテナ装置の構成例を示す第１図である。
【図１９】本発明の第２の実施形態に係る変換ケーブルを採用したアンテナ装置の構成例を示す第２図である。
【発明を実施するための形態】
【００１３】
以下、本発明の実施形態を図面に関連付けて説明する。
なお、説明は以下の順序で行う。
１．第１の実施形態（変換ケーブルを採用したアンテナ装置の第１の構成例）
２．第２の実施形態（受信システム（受信装置）の構成例）
３．第３の実施形態（変換ケーブルを採用したアンテナ装置の第２の構成例）
【００１４】
＜１．第１の実施形態＞
図１（Ａ）、（Ｂ）、および（Ｃ）は、本発明の第１の実施形態に係る変換ケーブルを採用したアンテナ装置の構成例を示す図である。
図１（Ａ）は変換ケーブルが最大に伸長された状態を、図１（Ｂ）および（Ｃ）は変換ケーブルを折り曲げて平型プラグを丸型ジャック部に収容して保持させてコンパクトにまとめた状態を示している。
【００１５】
本アンテナ装置１０は、信号伝送ケーブル２０、信号伝送ケーブル２０の一端側に接続された丸型ジャック部３０、および信号伝送ケーブル２０の他端側に接続された平型プラグ部４０を有している。
平型プラグは多極の平型プラグである。
【００１６】
本実施形態に係るアンテナ装置１０は、携帯電話機を含む移動体通信機器等の電子機器に配置される平型ジャック（ＪＡＣＫ）に着脱可能な平型プラグ部４０を有する。
丸型ジャック部３０は、平型プラグ部４０の平型プラグを着脱自在に嵌め込み可能なプラグ収容部３４が形成されている。
丸型ジャック部３０は、携帯電話機等の電子機器に用いられるストラップ５０を着脱自在に取り付け可能なストラップ着脱部３５を有する。
平型プラグ部４０は、プラグ収容部３４に収容空間を形成する内壁による押圧力に抗する弾性力を有するロック用ばね端子を含む。
なお、丸型ジャック部３０には、後述するようにイヤホンケーブルの丸型プラグが接続可能に構成される。
【００１７】
アンテナ装置１０は、たとえば地上デジタル放送のＵＨＦ帯（４７０ＭＨｚ〜８９０ＭＨｚ）等を受信可能に形成されている。
アンテナ装置１０は、全長が１６０ｍｍ前後、たとえば１６１ｍｍに設定され、変換ケーブルを折り曲げて平型プラグを丸型ジャック部に収容して保持させてコンパクトにまとめた状態で全長が８０ｍｍとなるように形成されている。
【００１８】
以下、信号伝送ケーブル２０、丸型ジャック部３０、平型プラグ部４０、およびストラップ５０の取り付け部の具体的な構成例について説明する。
【００１９】
［信号伝送ケーブルの構成］
【００２０】
信号伝送ケーブル２０は、シールド部付同軸ケーブルにより形成されている。
そして、信号伝送ケーブル２０は、その一端部に標準規格の径φ＝３．５ｍｍの標準３極ジャックを含む丸型ジャック部３０が接続して形成され、他端にφ３．５ｍｍの３極プラグを含む平型プラグ部４０が接続して形成されている。
【００２１】
図２は、シールド部付同軸ケーブルの構造例を示す図である。
【００２２】
信号伝送ケーブル２０は、３芯同軸ケーブル２１により形成され、オーディオのＬ線およびＲ線を形成する複数の芯線２１１、および芯線２１１を絶縁するための内部絶縁体２１２を有する。
同軸ケーブル２１は、絶縁体２１２の外周に配置されたシールド部２１３、および外周全体を被覆するエラストマー等の外部絶縁体（外皮、ジャケット）２１４を有する。
芯線２１１は、たとえばアラミド繊維入りポリウレタン線により形成される。
絶縁体２１２は、たとえばＸ線照射架橋ＰＥにより形成される。
また、シールド部２１３は、たとえば軟銅線により形成される。
また、シールド部２１３は、導電性を有する複数の素線、たとえば裸軟銅線を編組した編組シールドにより形成されている。
なお、編組シールドは、横巻シールドと比べて、屈曲時においてもシールドの隙間発生が少なく、適度な柔軟性、折り曲げ強さ、機械的強度を備えた静電シールド方法として知られているものである。
芯線２１１とシールド部２１３は、高周波的にインピーダンスを有する。
【００２３】
図３は、シールド部付同軸ケーブルの等価回路を示す図である。
【００２４】
同軸ケーブル２１は、芯線２１１により形成されるＬ線およびＲ線は、３極プラグ４０の信号ラインに接続され、シールド部２１３が３極プラグ４０のたとえばグランド端子（基準端子）に接続される。
【００２５】
このような構成を有する信号伝送ケーブル、丸型ジャック部３０、平型プラグ部４０、およびイヤホンケーブルすべて、または、一部が、ラジオまたは、テレビジョン放送を受信するためのアンテナ装置１０として機能する。
【００２６】
このように、本実施形態は、イヤホンに接続されるフレキシブルなケーブルをアンテナ装置として機能させた例である。
本実施形態では、たとえば電車など周りの人への配慮をし、イヤホンにて音声を聞きながら、テレビジョン番組を視聴することが可能である。
この場合、イヤホンおよびケーブルをアンテナ装置１０として機能させ、音声を聞きながらアンテナとして機能させることが可能である。
特に、満員電車など人が密集している場所においてはロッドアンテナのような突起物は邪魔になることもあるため、フレキシブル性の高いイヤホンケーブルおよびアンテナケーブルをアンテナ装置１０とするとよい。
【００２７】
［丸型ジャック部３０の構成例］
図４（Ａ）〜（Ｄ）は、本実施形態に係る丸型ジャック部３０の具体的な構成例を示す第１図である。
図５（Ａ）〜（Ｃ）は、本実施形態に係る丸型ジャック部３０の具体的な構成例を示す第２図である。
【００２８】
図４および図５の（Ａ）は、丸型ジャック部３０の全体構成の概要を模式的に示している。
図４（Ｂ）は、丸型ジャックおよび信号伝送ケーブルに接続される側にブッシング部を模式的に示している。
図４（Ｃ）は、丸型ジャック部３０の外形を形成するケース体およびプラグ収容部を分解して示している。
図５（Ｃ）は、丸型ジャック部３０の外形を形成するケース体に丸型ジャック、ブッシング部、プラグ収容部を装着した状態を模式的に示している。
図４（Ｄ）および図５（Ｃ）は、本実施形態に係るプラグ収容部をプラグ収容口側から示している。
【００２９】
丸型ジャック部３０は、ケース体３１、丸型３極ジャック３２、ブッシング部３３、プラグ収容部３４、およびストラップ着脱部３５を有する。
【００３０】
ケース体３１は、中空の直方体形状を有し、長手方向に分割された第１ケース３１１と第２ケース３１２を接合して形成されている。
ケース体３１は、長手方向の一側面３１ａの上面３１ｂ側よりに、丸型３極ジャック３２のプラグ挿入孔３２１が外部に臨むように形成された丸型の開口部３１３が形成されている。
ケース体３１は、長手方向の一側面３１ａと対向する他側面３１ｃの上面３１ｂ側よりに、ブッシング部３３を取り付けるための矩形状の開口部３１４が形成されている。
ケース体３１は、底面３１ｄの中央より他側面３１Ｃよりに、プラグ収容部３４のプラグ受け入れ口が外部に臨むように形成された長方形状をなす矩形の開口部３１５が形成されている。
また、ケース体３１は、一側面３１ａと底面３１ｄとの境界部３１ｅに、ストラップ着脱部３５が形成されている。
【００３１】
丸型３極ジャック３２は、その一端部側のプラグ挿入孔３２１が、ケース体３１の開口部３１３から外部に臨むように、ケース体３１の内部の上面３１ｂ側に配置されている。
丸型３極ジャック３２は、その他端部側には、ブッシング部３３に挿入されるプラグ部３２２が形成される。
【００３２】
ブッシング部３３は、ケース体３１の内部から開口部３１４を介して固定されている。
ブッシング部３３は、信号伝送ケーブル２０の一端側が接続され、ケース体３１の内部で丸型３極ジャック３２の他端部側のプラグ部３２２が挿入され固定される。
【００３３】
プラグ収容部３４は、平型プラグ部４０の平型プラグ４１を収容可能な収容空間３４１を有する中空の直方体形状に形成されている。
プラグ収容部３４は、その底面３４ａに平型プラグ４１を収容空間３４１に導入し、また導出するための矩形の導入出口３４２が形成されている。
プラグ収容部３４は、導入出口３４２がケース体３１の開口部３１５から外部に臨むようにケース体３１内部に配置される。
導入出口３４２は、その長手方向の長さＬと幅Ｗは、平型プラグ４１の大きさと略同一かやや大き目に形成される。
プラグ収容部３４は、その一側面３４ｂに、収容空間３４１を形成する内壁による押圧力に抗する弾性力を有するロック用ばね端子の２つの被係止部を係止するための係止部３４３，３４４が形成されている。
本実施形態においては、係止部３４３，３４４は、矩形状の開口部として形成されている。
プラグ収容部３４は、この係止部３４３，３４４にロック用ばね端子の２つの被係止部が係止されることにより、平型プラグ４１を収容空間３４１に略完全に収容する。
さらに、プラグ収容部３４は、収容状態で、係止部３４３，３４４の被係止部に対する係止力に抗する導出力が平型プラグ部４０に加わらない限り、平型プラグ４１を安定に保持する。
丸型ジャック部３０は、携帯電話機等の電子機器に用いられるストラップ５０を着脱自在に取り付け可能なストラップ着脱部３５を有する。
平型プラグ部４０は、プラグ収容部３４に収容空間を形成する内壁による押圧力に抗する弾性力を有するロック用ばね端子を含む。
【００３４】
［平型プラグ部４０の構成例］
図６は、本実施形態に係る平型プラグ部の構成例を模式的に示す図である。
図７（Ａ），（Ｂ）は、平型プラグを丸型ジャック部のプラグ収容部に収容する様子を模式的に示す図である。
【００３５】
平型プラグ部４０は、平型プラグ４１、および信号伝送ケーブル２０の他端側と接続されたケーブル接続部４２を有する。
【００３６】
平型プラグ４１は、ケーブル接続部４２の一面４２ａに形成されている。
平型プラグ４１は、内部に接続端子を含んで形成され、その頂面４１ａに挿入口４１１が形成されている。
平型プラグ４１は、一側面４１ｂに所定間隔をおいて、ロック用ばね端子部４３，４４が形成されている。
ロック用ばね端子部４３，４４は、ケーブル接続部４２の一面４２ａから平型プラグ４１の頂面４１ａの近傍にかけて形成された細溝４１２，４１３に、金属の細平板４３１，４４１が配置されている。
そして、細平板４３１，４４１の先端部が外側に頂部となる三角形状に折り曲げられて、プラグ収容部３４に収容空間を形成する内壁による押圧力に抗する弾性力を有する被係止部としてのロック用ばね端子４３２，４４２が形成されている。
【００３７】
平型プラグ４１が、プラグ収容部３４の導入出口３４２から挿入されると、ばね端子４３２，４４２がプラグ収容部３４の収容空間３４１を形成する内壁等により弾性力に抗する押圧力を受けて、頂部から押しつぶされて細溝４１２，４１３内に延びた状態となる。
平型プラグ４１は、ばね端子４３２，４４２がさらに挿入されてプラグ収容部３４の係止部３４３，３４４である開口部分に到達すると、弾性力に抗する押圧力から解放されてばね端子４３２，４４２の頂部分が開口部分からプラグ収容部３４外に突出する。
これにより、ばね端子４３２，４４２が係止部３４３，３４４である開口部分に係止される。
この収容状態では、係止部３４３，３４４の被係止部に対する係止力に抗する導出力が平型プラグ部４０に加わらない限り、平型プラグ４１はプラグ収容部３４に安定に保持される。
また、ユーザにより係止部３４３，３４４の被係止部に対する係止力に抗する導出力が平型プラグ部４０に加わると、挿入とは逆の状態遷移により平型プラグ４１はプラグ収容部３４から簡単に取り出される。
すなわち、ばね端子４３２，４４２が収容空間３４１を形成する内壁等により弾性力に抗する押圧力を受けて、係止部３４３，３４４の被係止部に対する係止状態が解除され、頂部から押しつぶされて細溝４１２，４１３内に延びた状態となって取り出される。
【００３８】
［ストラップの構成例］
図８は、本実施形態に係るストラップの外観を示す図である。
図９は、本実施形態に係るストラップを丸型ジャック部のストラップ取り付け部に取り付け状態を示す図である。
図１０（Ａ）〜（Ｄ）は、本実施形態に係るストラップの形状を示す図である。図１０（Ａ）はストラップの上面図、図１０（Ｂ）はストラップの一側面図、図１０（Ｃ）はストラップの他側面図、図１０（Ｄ）はストラップの底面図である。
【００３９】
ストラップ５０は、丸みを帯びたドーム状に形成された頭部５１、および頭部５１の平面である底面５１ａの略中央部に対して垂直に延びるように形成された挿入子５２を有する。
挿入子５２の先端部５２１には、挿入子５２の軸に直交する方向、すなわち頭部５１の底面５１ａに平行となるように突出したロック子５３が形成されている。
ストラップ５０は、挿入子５２とロック子５３によりＬ字状部が形成されている。
また、ストラップ５０の頭部５１には、携帯電話機等の電子機器に接続するための接続ケーブル５４が取り付けられている。
【００４０】
［ストラップ着脱部の構成例］
図１１（Ａ）〜（Ｃ）は、ストラップ着脱部の構成例を説明するための図である。
図１１（Ａ）は取り付けるストラップの上面図、図１１（Ｂ）はストラップ着脱部を模式的に示す側面図、図１１（Ｃ）はストラップ着脱部を模式的に示す斜視図である。
【００４１】
ストラップ着脱部３５は、ストラップ５０のロック子５３を含む挿入子５２が回転可能に挿入される挿入孔３５１を有する。
ストラップ着脱部３５は、挿入孔３５１に連通しており、ストラップ５０を、たとえば反時計回りに回転されたロック子５３が侵入させて挿入子５２が抜けないように保持し、時計回りに回転されたロック子５３を退出させるロック孔３５２を有する。
【００４２】
図１２（Ａ）〜（Ｃ）は、ストラップ着脱部へのストラップの取り付け方法を説明するための図である。
図１２（Ａ）は、ストラップの挿入子およびロック子をストラップ着脱部に挿入した状態を示す図であり、図１２（Ｂ）はロック状態を示す図であり、図１２（Ｃ）はロック状態を模式的に示す図である。
【００４３】
たとえば図１２（Ａ）に示すように、ストラップ５０の頭部５１がストラップ着脱部３５の表面部とクロスするようにしてロック子５３を含む挿入子５２を挿入孔３５１に挿入する。
そして、図１２（Ｂ）に示すように、ストラップ５０の頭部５１を反時計回りに回してロック子５３をロック孔３５２に侵入させて、ストラップ５０を取り付ける。
このロック状態では、ストラップ５０の頭部５１の底面５１ａがストラップ着脱部３５の表面部３５ａが合致するように重なり合う。
ストラップ５０を取りはずすときは、ストラップ５０の頭部５１を時計回りに回してロック子５３をロック孔３５２から退出させて非ロック状態として、ロック子５３を含む挿入子５２を挿入孔３５１から引き抜く。
【００４４】
＜２．第２の実施形態＞
図１３は、本発明の第２の実施形態に係る変換ケーブルを含むアンテナ装置を適用した電子機器の一例である携帯電話機を含む受信システム（受信装置）を示す図である。
【００４５】
図１３（Ａ）は、内蔵アンテナを有する電子機器の一例である一般的な携帯電話機６０を示している。図１３（Ｂ）は、変換ケーブルを含むアンテナ装置１０とイヤホンケーブル７０を示している。
【００４６】
図１３の携帯電話機６０は、第１筐体６１および第２筐体６２を図示しないヒンジ機構により折り畳み可能に構成される。
第１筐体６１は、その表面部に液晶表示装置等の表示部６１１が配置され、内部に内蔵アンテナ６１２が配置されている。
第２筐体６２は、その表面部にキー操作部６２１が配置され、内部にスピーカ等が配置されている。
さらに、第２筐体６２は、その一側部にアンテナ装置１０の平型プラグ４１が装着される平型ジャック６２２が形成されている。
【００４７】
本実施形態においては、アンテナ装置１０は、平型プラグ部４０を、現在一般的に用いられているオーディオ（Audio）プラグを用いることで、音声回路のプラグをアンテナの端子として併用することができるように構成されている。
【００４８】
この場合、フレキシブル性の高いアンテナケーブルをアンテナ装置１０として用いることから、ロッドアンテナに比べて満員電車など人が密集している場所において、比較的邪魔にならない。
ただし、イヤホンを使用しないときは、フレキシブル性の高いアンテナケーブルであっても邪魔になることが多く、また、持ち歩くことが面倒である場合がある。
図１４に示すように、本実施形態のように、丸型ジャック部３０にプラグ収容部をもたない場合、ケーブルを縛る、巻きつける、あるいはＰＥ帯などで縛る等の対応が行われる。
しかし、コンパクトにまとまらず、また、縛ったもののほどけてしまうなどの問題がある。
【００４９】
これに対して、本実施形態のように、丸型ジャック部３０にプラグ収容部３４を設けた場合、図１５に示すように、ケーブルを折り曲げてプラグ収容部３４に平型プラグ４１を簡単に収容し、保持できる。
したがって、持ち歩く際に邪魔になりにくく、コンパクトに収納することが可能であり、また、収容状態を確実に保持することができる。
また、丸型ジャック部３０にストラップ着脱部３５を設けていることから、図１６に示すように、ストラップ５０に取り付けて容易に持ち運ぶことができる。
【００５０】
図１７は、本第２の実施形態に係る受信システムの周波数に対するピークゲイン特性を示す図である。
図１７において、Ｈで示す曲線が水平偏波(Horizontal Polarization)の特性を示し、Ｖで示す曲線が垂直偏波(Vertical Polarization)の特性を示している。
図１７においては、特性図にあわせて測定結果を詳細に示す図表を図示している。
【００５１】
図１７に示すように、本第２の実施形態の受信システムにおいては、良好なアンテナ利得を確保でき、広い周波数帯域で十分な利得により放送波を受信できることがわかる。
【００５２】
＜３．第３の実施形態＞
図１８（Ａ）および（Ｂ）は、本発明の第２の実施形態に係る変換ケーブルを採用したアンテナ装置の構成例を示す第１図である。
図１８（Ａ）は変換ケーブルが最大に伸長された状態を、図１８（Ｂ）は変換ケーブルを折り曲げて平型プラグを丸型ジャック部に収容して保持させてコンパクトにまとめた状態を示している。
図１９（Ａ）および（Ｂ）は、本発明の第２の実施形態に係る変換ケーブルを採用したアンテナ装置の構成例を示す第２図である。
図１９（Ａ）は丸型ジャック部を示し、図１９（Ｂ）は変換ケーブルを折り曲げて平型プラグを丸型ジャック部に収容して保持させてコンパクトにまとめた状態を示している。
【００５３】
本第３の実施形態のアンテナ装置１０Ａと上述した第１の実施形態のアンテナ装置１０と異なる点は、ストラップ着脱部３５Ａが、丸型ジャック部３０Ａの側面部に形成されていることにある。
その他の構成は、第１の実施形態と同様である。
【００５４】
以上説明したように、本実施形態によれば、アンテナ装置１０は、信号伝送ケーブル２０、信号伝送ケーブル２０の一端側に接続された丸型ジャック部３０、および信号伝送ケーブル２０の他端側に接続された平型プラグ部４０を有している。
平型プラグ部４０は、携帯電話機を含む移動体通信機器等の電子機器に配置される平型ジャック（ＪＡＣＫ）に着脱可能な平型プラグ４１を有する。
丸型ジャック部３０は、平型プラグ部４０の平型プラグを着脱自在に嵌め込み可能なプラグ収容部３４が形成されている。
丸型ジャック部３０は、携帯電話機等の電子機器に用いられるストラップ５０を着脱自在に取り付け可能なストラップ着脱部３５を有する。
平型プラグ部４０は、プラグ収容部３４に収容空間を形成する内壁による押圧力に抗する弾性力を有するロック用ばね端子を含む。
丸型ジャック部３０には、後述するようにイヤホンケーブルの丸型プラグが接続可能に構成される。
【００５５】
したがって、本実施形態によれば、持ち歩く際に邪魔になりにくく、コンパクトに収納することができる。
また、持ち運びの際、平型プラグのコネクタ部を保護することができるため、ごみ等の異物の付着を予防することができる。
【００５６】
本実施例は、携帯電話用の丸型ジャック及び平型プラグを用いて説明したが、これに限定されるものでなく、丸型ジャックとφ3.5、φ2.5のプラグ、また、USBプラグなど同様に実現できるものである。
【符号の説明】
【００５７】
１０，１０Ａ・・・アンテナ装置、２０・・・信号伝送ケーブル、３０，３０Ａ・・・丸型ジャック部、３１・・・ケース体、３２・・・丸型３極ジャック、３３・・・ブッシング部、３４・・・プラグ収容部、３５・・・ストラップ着脱部、４０・・・平型プラグ部、４１・・・平型プラグ、５０・・・ストラップ、６０・・・携帯電話機、７０・・・イヤホンケーブル。
【図１】
2011139406.tif 000003
【図２】
2011139406.tif 000004
【図３】
2011139406.tif 000005
【図４】
2011139406.tif 000006
【図５】
2011139406.tif 000007
【図６】
2011139406.tif 000008
【図７】
2011139406.tif 000009
【図８】
2011139406.tif 000010
【図９】
2011139406.tif 000011
【図１０】
2011139406.tif 000012
【図１１】
2011139406.tif 000013
【図１２】
2011139406.tif 000014
【図１３】
2011139406.tif 000015
【図１４】
2011139406.tif 000016
【図１５】
2011139406.tif 000017
【図１６】
2011139406.tif 000018
【図１７】
2011139406.tif 000019
【図１８】
2011139406.tif 000020
【図１９】
2011139406.tif 000021